(57)【要約】      （修正有）【課題】省スペースでより多くの骨壷や位牌を収納でき、しかも、位牌の視認性に優れ、清掃などのメンテナンスが容易な納骨壇を提供する。【解決手段】仏壇４０と複数の骨壺の収納部とを併設して内蔵し、前面に開口部２５を有する略箱状に形成された本体部２０と、前記開口部を開閉自在に設けられた扉部３０Ｒ，３０Ｌと、前記扉部の背面に設けられた複数の位牌を載置可能な位牌壇３１Ｒ，３１Ｌと、を備えたことを特徴として納骨壇とする。【選択図】図２
0003174680.tif 000002
【実用新案登録請求の範囲】
【請求項１】
仏壇と複数の骨壺の収納部とを併設して内蔵し、前面に開口部を有する略箱状に形成された本体部と、
前記開口部を開閉自在に設けられた扉部と、
前記扉部の背面に設けられた複数の位牌を載置可能な位牌壇と、
を備えたことを特徴とする納骨壇。
【請求項２】
前記収納部は、引き出し構造の複数の納骨室で構成され、
前記複数の納骨室は、収納される複数の骨壺毎に格子状に区割りされ、
前記納骨室の区割りは、収納される複数の骨壺の形状に応じて変更可能としたことを特徴とする請求項１に記載の納骨壇。
【請求項３】
前記位牌壇は、載置される複数の位牌毎に格子状に区割りされ
前記位牌壇の区割りは、載置される複数の位牌の形状に応じて変更可能としたことを特徴とする請求項１又は２に記載の納骨壇。
【請求項４】
前記位牌壇は、載置された複数の位牌を支持するための支持棒が設けられたことを特徴とする請求項１〜３の何れか１項に記載の納骨壇。
【考案の詳細な説明】
【技術分野】
【０００１】
本考案は、仏壇と複数の骨壺を収納する収納部と複数の位牌を載置する位牌壇とを一体的に設けた納骨壇に関するものである。
【背景技術】
【０００２】
近年、都市部では墓地の不足が問題となっている。このため、寺院等では、納骨堂内に複数の小型の納骨壇を設置して永代供養が行われている。従来の納骨堂内に設置される納骨壇は、上部に仏壇と、下部に骨壺を収納する納骨室とを備えている。また、納骨室は複数の骨壺（例えば、２〜５個）を複数収納することができ、このような納骨壇が納骨堂内に並設して複数設置されている。
【０００３】
上記のような仏壇と納骨室とを一体に備えた仏壇形納骨壇としては、特許文献１に示すように、複数の骨壷を収納できる納骨部と、その上方に載置された仏壇部とからなる仏壇形納骨壇が開示されている。
【先行技術文献】
【特許文献】
【０００４】
【特許文献１】特開２００３−７９５０８号公報
【考案の概要】
【考案が解決しようとする課題】
【０００５】
上述した特許文献１の仏壇形納骨壇は、いくら複数の骨壷を収納できる納骨部を有しているとしても、結局家単位であり、寺院における納骨堂内には、複数の仏壇形納骨壇を設置するための広大なスペースが必要であった。また、骨壺を収納する収納部が限られている為、大量の骨壷を収納する場合にはスペースが不足するという問題があった。
【０００６】
さらに、複数の骨壷に応じた複数の位牌は仏壇に並べて載置されるが、複数の位牌の載置状態によっては、前方に並べた位牌については視認できるが後方に並べた位牌については視認できない問題があった。
【０００７】
また、開放された仏壇に複数の位牌を並べて載置した場合には、仏壇に積もった埃や塵により位牌が汚れてしまい、位牌を１つ１つ外に取出して清掃する必要があり、清掃時間が必要以上にかかる問題があった。
【０００８】
本考案は上記課題を解決する為に、納骨壇が設置される納骨堂などにおいて、より省スペースでより多くの骨壷や位牌を収納でき、しかも、位牌の視認性に優れ、清掃などのメンテナンスが容易な納骨壇を提供することを目的とする。
【課題を解決するための手段】
【０００９】
請求項１に係る本考案は、仏壇と複数の骨壺の収納部とを併設して内蔵し、前面に開口部を有する略箱状に形成された本体部と、前記開口部を開閉自在に設けられた扉部と、前記扉部の背面に設けられた複数の位牌を載置可能な位牌壇と、を備えたことを特徴とする納骨壇とする。
【００１０】
請求項２に係る本考案は、請求項１に記載の納骨壇において、前記収納部は、引き出し構造の複数の納骨室で構成され、前記複数の納骨室は、収納される複数の骨壺毎に格子状に区割りされ、前記納骨室の区割りは、収納される複数の骨壺の形状に応じて変更可能としたことを特徴とする。
【００１１】
請求項３に係る本考案は、請求項１又は請求項２に記載の納骨壇において、前記位牌壇は、載置される複数の位牌毎に格子状に区割りされ、前記位牌壇の区割りは、載置される複数の位牌の形状に応じて変更可能としたことを特徴とする。
【００１２】
請求項４に係る本考案は、請求項１〜３の何れか１項に記載の納骨壇において、前記位牌壇は、載置された複数の位牌を支持するための支持棒が設けられたことを特徴とする。
【考案の効果】
【００１３】
請求項１に記載の考案によれば、略箱状に形成された本体部の中に、仏壇と複数の骨壺の収納部とを併設して内蔵し、本体部の前面の開口部を開閉自在とした扉部を設けたため、扉部を閉じた状態では、本体部の開口部が密閉されて、本体部内部の仏壇、収納部及び位牌壇への埃や塵の侵入を防ぐことができる。また、扉部の背面に複数の位牌を載置可能な位牌壇を備え、当該位牌壇に扉部を開放した状態で複数の位牌を識別できる向きに載置することで、扉部を開放した状態では、扉部の背面の位牌壇に載置された複数の位牌の識別を容易に行うことができる。
【００１４】
請求項２に記載の考案によれば、収納部は、引き出し構造の複数の納骨室で構成され、さらに個々の納骨室は、収納される複数の骨壺毎に格子状に区割りされ、さらに、収納される複数の骨壺の形状（大きさや形など）に応じて納骨室の区割りを変更可能としている。このため、収納する骨壷の大きさや形に応じた最適な納骨室の区割りを実現することができ、納骨室のスペースを無駄にすることなく複数の骨壷を効率よく収納することができる。
【００１５】
請求項３に記載の考案によれば、位牌壇は、載置される複数の位牌毎に格子状に区割りされ、この位牌壇の区割りは載置される複数の位牌の形状に応じて変更可能としている。このため、載置する位牌の形状や大きさに応じた最適な位牌壇の区割りを実現することができ、位牌壇のスペースを無駄にすることなく複数の位牌を効率よく載置することができる。
【００１６】
請求項４に記載の考案によれば、位牌壇には載置された複数の位牌を支持するための支持棒が設けられている。このため、扉部を開閉動作させても、扉部の背面の位牌壇に載置された複数の位牌を安定して支持することができ、位牌の落下などの事故を防止することができる。
【図面の簡単な説明】
【００１７】
【図１】本実施形態に係る納骨壇を示す正面図である。
【図２】本実施形態に係る納骨壇の扉を開いた状態を示す正面図である。
【図３】図１に示す納骨壇のＡ−Ａ断面図である。
【図４】図３に示す納骨壇のＢ−Ｂ断面図である。
【図５Ａ】３行５列に区割りされた納骨室を示す平面図である。
【図５Ｂ】４行７列に区割りされた納骨室を示す平面図である。
【図５Ｃ】２行３列に区割りされた納骨室を示す平面図である。
【図６】扉部背面の位牌壇を示す斜視図である。
【図７】納骨室及び位牌壇のナンバリングを説明する図である。
【図８】納骨室と位牌壇との対応を説明するナンバリング表を示す図である。
【図９】納骨室に収納された骨壷の名札プレートを示す図である。
【図１０】納骨壇を示す右側面図である。
【図１１】納骨壇を示す左側面図である。
【図１２】納骨壇を示す正面図である。
【図１３】納骨壇を示す底面図である。
【図１４】納骨壇を示す背面図である。
【図１５】納骨壇を示す平面図である。
【考案を実施するための形態】
【００１８】
以下、本考案に係る納骨壇の一実施形態について、図面を参照して具体的に説明する。
【００１９】
図１は本実施形態に係る納骨壇を示す正面図、図２は本実施形態に係る納骨壇の扉部を開いた状態を示す正面図、図３は図１に示す納骨壇のＡ−Ａ断面図、図４は図３に示す納骨壇のＢ−Ｂ断面図、図５Ａは３行５列に区割りされた納骨室を示す平面図、図５Ｂは４行７列に区割りされた納骨室を示す平面図、図５Ｃは２行３列に区割りされた納骨室を示す平面図、図６は扉部背面の位牌壇を示す斜視図である。
【００２０】
本実施形態に係る納骨壇１は、図１〜図６に示すように、略箱状に形成され、前面に開口部２５が形成された本体部２０に、仏壇４０と複数の骨壺の収納部５０とを併設して内蔵している。本体部２０の前面の開口部２５には、当該開口部２５を開閉自在とした扉部としての一対の左右扉３０Ｒ，３０Ｌが設けられている。左右扉３０Ｒ，３０Ｌの背面（つまり、図１における左右扉３０Ｒ，３０Ｌにより開口部２５を閉じた状態での、左右扉３０Ｒ，３０Ｌの裏面）には、複数の位牌を収納可能な位牌壇３１Ｒ，３１Ｌが設けられている。
【００２１】
本体部２０は、底板２２と、その底板２２に垂直に立設された左右の側板２３，２３及び背板２４と、その上部に載置された切り妻形状の屋根板２１とにより一側面（納骨壇１を正面視した前面）に開口部２５を形成して略箱状に構成されている。そして、本体部２０の前面の開口部２５には、当該開口部２５を開閉自在とする扉部としての一対の左右扉３０Ｒ，３０Ｌが設けられている。
【００２２】
図１に示すように、屋根板２１の開口部２５の上方の略中央部に装飾部材２１ａを設けることで、略箱状に構成された本体部２０の外観は、あたかも寺院のような外観としている。また、本体部２０を構成する底板２２、左右の側板２３，２３、背板２４及び一対の左右扉３０Ｒ，３０Ｌは、木製の化粧合板が用いられる。そして、本体部２０の外周面（但し、背板２４は除く）は、ＵＶセラミック漆技法及びピアノ塗装鏡面仕上げにより、黒色の艶出し塗装が施されており、豪華で荘厳な外観を形成している。
【００２３】
収納部５０は、本体部２０の内部の底板２２の上部に、引き出し構造の複数（例えば、５段）の納骨室５３から構成されている。５段の納骨室５３の前面には、納骨室５３を収納部５０から引き出すための２個の取っ手５１と、各納骨室５３を個別に施錠できるシリンダ錠５２がそれぞれ設けられている。このシリンダ錠５２により、各納骨室５３に収納された骨壷の盗難を防止することができる。収納部５０を構成する５段の納骨室５３は、上記本体部２０と同様に木製の化粧合板が用いられ、各納骨室５３の前面は、本体部２０の外周面と同様な黒色の艶出し塗装が施されている。
【００２４】
納骨室５３の内部は、６枚の仕切板５４により格子状に３行５列に区割り（図４参照）され、一段の納骨室５３には、最大１５（３×５＝１５）個の骨壷を収納することができる。つまり、本実施形態における収納部５０は、５段の納骨室５３を設けることにより、最大７５（１５×５＝７５）個の骨壷を収納できる。
【００２５】
また、本実施形態においては、納骨室５３の仕切板５４による区割りは、収納される骨壷の大きさや形に応じて変更することができる。すなわち、図５Ａに示すように、大きさが標準であり、円柱形状の骨壷Ａを納骨室５３に収納する場合には、最大１５（３×５＝１５）個の骨壷Ａを収納することができるように、６枚の仕切板５４により格子状に３行５列に区割りされる。
【００２６】
図５Ｂに示すように、大きさが標準の骨壷Ａよりも小さく、円柱形状の骨壷Ｂを納骨室５３に収納する場合には、最大２８（４×７＝２８）個の骨壷Ｂを収納することができるように、９枚の仕切板５４により格子状に４行７列に区割りされる。また、図５Ｃに示すように、大きさが標準の骨壷Ａよりも大きく、角柱形状の骨壷Ｃを納骨室５３に収納する場合には、最大６（２×３＝６）個の骨壷Ｃを収納することができるように、３枚の仕切板５４により格子状に２行３列に区割りされる。
【００２７】
なお、納骨室５３の仕切板５４による区割りは、収納される骨壷の大きさや形に応じて一律で同じ大きさに変更されるだけではなく、例えば、上部２行は４列に、下部２行は大きい行間で２列に区割りして、最大１２［（２×４＝８）＋（２×２＝４）］個の異なる形状の骨壷を収納できるように区割り変更することもできる。
【００２８】
このように、本実施形態においては、納骨室５３の仕切板５４による区割りを変更して、収納可能な骨壷の数を変更自在とすることで、収納する骨壷の大きさや形に応じた最適な納骨室５３の区割りを実現することができ、納骨室５３のスペースを無駄にすることなく複数の骨壷を効率よく収納することができる。
【００２９】
仏壇４０は、収納部５０の上方に載置されており、仏像（お内仏ともいう）などを安置する須弥壇４１の載置台４２が１段高く設けられ、この載置台４２の略中央に須弥壇４１が設置される。仏壇４０の内周面は金箔紙により金色に装飾され、豪華で荘厳な仏壇４０を形成している。
【００３０】
なお、仏壇４０には、仏壇４０の内部の照明のために照明器具（図示せず）が設けられている。照明器具としては、例えば、須弥壇４１の両側の仏壇４０の内部の天井からＬＥＤなどの照明ランプを垂下して設置されている。そして、本体部２０の前面の一対の左右扉３０Ｒ，３０Ｌの開閉を自動的に検知する接触スイッチを設け、当該接触スイッチによる左右扉３０Ｒ，３０Ｌの開閉の検知に応じて、照明ランプの点灯（開放時）又は消灯（閉鎖時）が自動的に行われるようにしている。
【００３１】
扉部としての一対の左右扉３０Ｒ，３０Ｌは、左右の側板２３，２３の一端に丁番（蝶番又はヒンジとも言う）２６，２６によりそれぞれ取り付けられている。そして、図４に示すように、丁番２６，２６を支点として、左右扉３０Ｒ，３０Ｌを観音開き（略１８０度）の状態で、本体部２０の開口部２５を開放することができる。
【００３２】
図１に示すように、開口部２５を閉鎖した状態の一対の左右扉３０Ｒ，３０Ｌの正面には、上述した黒色の艶出し塗装が施されるとともに、左右扉３０Ｒ，３０Ｌの略中央部に水平の帯状の波線のシルク印刷３９が、底板２２の上部には山形のシルク印刷３９が施されている。左右扉３０Ｒ，３０Ｌの接合部の略中央には、半円状の飾り装飾３８，３８がそれぞれ施され、飾り装飾３８，３８には、左右扉３０Ｒ，３０Ｌを開放する為のタッセル付のドア引手３２，３２が設けられている。
【００３３】
位牌壇３１Ｒ，３１Ｌは、それぞれ上下枠板３７Ｈ，３７Ｌ、左右枠板３７Ｒ，３７Ｌ及び１１枚の仕切板３６により格子状に５行８列に区割り（図２参照）されて、複数の位牌を載置可能なように左右扉３０Ｒ，３０Ｌの背面に突出して設けられている。位牌壇３１Ｒ，３１Ｌには、それぞれ最大４０（５×８＝４０）個の位牌をそれぞれ収納載置する事ができる。つまり、本実施形態における位牌壇３１Ｒ，３１Ｌは、最大８０（４０×２＝８０）個の位牌を収納載置することができる。
【００３４】
図２に示すように、本実施形態においては、左右扉３０Ｒ，３０Ｌにより開口部２５を観音開きに開放した状態で、位牌壇３１Ｒ，３１Ｌに設けられた格子状の各々の区割りに載置された複数の位牌を、参拝者が視認できるようにしている。なお、位牌壇３１Ｒ，３１Ｌの仕切板３６による格子状の区割りは、上記５行８列に固定されるものではない。収納載置される位牌の大きさや形に応じて、例えば、４行５列や６行７列など任意に変更可能である。このように、本実施形態においては、位牌壇３１Ｒ，３１Ｌの仕切板３６による区割りを変更して、載置可能な位牌の数を変更自在とすることで、載置する位牌の形状や大きさに応じた最適な位牌壇３１Ｒ，３１Ｌの区割りを実現することができ、位牌壇３１Ｒ，３１Ｌのスペースを無駄にすることなく複数の位牌を効率よく載置することができる。
【００３５】
また、位牌壇３１Ｒ，３１Ｌには、載置された複数の位牌の台座近傍を支持する支持棒３３（図２及び図６参照）が、各列毎に位牌壇３１Ｒ，３１Ｌの左右枠板３７Ｒ，３７Ｌに亘って水平に設けられている。このため、左右扉３０Ｒ，３０Ｌを開閉動作させても、左右扉３０Ｒ，３０Ｌの背面の位牌壇３１Ｒ，３１Ｌに載置された複数の位牌を安定して支持することができ、位牌の落下などの事故を防止することができる。なお、支持棒３３の取り付けも、上記位牌壇３１Ｒ，３１Ｌの仕切板３６による格子状の区割り変更に応じて、着脱自在としている。
【００３６】
なお、位牌壇３１Ｒ，３１Ｌを構成する上下枠板３７Ｈ，３７Ｌ、左右枠板３７Ｒ，３７Ｌ及び１１枚の仕切板３６にも、上述した木製の化粧合板が用いられる。そして、左右扉３０Ｒ，３０Ｌの背面、上下枠板３７Ｈ，３７Ｌ、左右枠板３７Ｒ，３７Ｌ及び１１枚の仕切板３６は、上述した本体部２０の外周面と同様に黒色の艶出し塗装が施されており、位牌壇３１Ｒ，３１Ｌに載置された複数の位牌が豪華に映えるようにしている。
【００３７】
また、図７に示すように、本実施形態における５段の納骨室５３は、骨壷の収納スペース毎に通し番号が割り付けられている。また、位牌壇３１Ｒ，３１Ｌにも上記納骨室５３と同様に、位牌の載置スペース毎に通し番号が割り付けられている。この納骨室５３及び位牌壇３１Ｒ，３１Ｌに通し番号を割り付けることを以下ナンバリングという。
【００３８】
納骨室５３は、図7に示すように、「Ｋ」−「１〜５」−「１〜７５」がナンバリングされている。納骨室５３のナンバリングである最初の「Ｋ」は骨壷の収納部であることを示し、次の「１〜５」は、５段の納骨室５３の段数（最上段が１〜最下段が５）を示し、最後の「１〜７５」は五段の納骨室５３が備える最大７５（１５×５＝７５）個の骨壷の収納スペースであることを示している。
【００３９】
具体的には、最上段の納骨室５３には、骨壷の収納部であることを示す「Ｋ」と、最上段の納骨室５３であることを示す番号「１」が割り付けられ、格子状に３行５列に区割りされた１５個の骨壷の収納スペース毎に、当該納骨室５３を引き出した状態で平面視して、最下行の１行目の左端からに右方向に「１」、「２」…「５」の連番で番号が割り付けられている。２行目も同様に左端からに右方向に「６」、「７」…「１０」の連番で番号が割り付けられている。そして、最上行の３行目も同様に左端からに右方向に「１１」、「１２」…「１５」の連番で番号が割り付けられている。つまり、最上段の納骨室５３の３行５列に区割りされた骨壷の収納１５個のスペース毎に連番で「Ｋ−１−１」〜「Ｋ−１−１５」がナンバリングされている。
【００４０】
最上段の下の納骨室５３には、骨壷の収納部５０であることを示す「Ｋ」と、最上段より二段目の納骨室５３であることを示す番号「２」が割り付けられ、格子状に３行５列に区割りされた１５個のスペース毎に、最上段と同様に最上段の最後の番号である「１５」の次の番号である「１６」から連番で「３０」までの番号が割り付けられている。つまり、最上段より二段目の納骨室５３の３行５列に区割りされた１５個の骨壷の収納スペース毎に連番で「Ｋ−２−１６」〜「Ｋ−２−３０」までの番号がナンバリングされている。
【００４１】
同様にして最上段より三段目の納骨室５３には「Ｋ−３−３１」〜「Ｋ−３−４５」までの番号が、最上段より四段目の納骨室５３には「Ｋ−４−４６」〜「Ｋ−４−６０」までの番号が、そして、最下段である最上段より五段目の納骨室５３には「Ｋ−５−６１」〜「Ｋ−６−７５」までの番号がそれぞれナンバリングされている。つまり、五段の納骨室５３が有する骨壷の収納スペースには、最大７５（１５×５＝７５）個の骨壷の収納スペース毎に、「Ｋ−１−１」〜「Ｋ−５−７５」までの番号がナンバリングされている。
【００４２】
また、図７に示すように、左右扉３０Ｒ，３０Ｌの背面に設けられた位牌壇３１Ｒ，３１Ｌは、「Ｉ」−「Ｌ，Ｒ」−「１〜７５」がナンバリングされている。位牌壇３１Ｒ，３１Ｌのナンバリングである最初の「Ｉ」は位牌壇３１Ｒ，３１Ｌであることを示し、次の「Ｌ，Ｒ」は、左右何れかの位牌壇３１Ｒ，３１Ｌであること（位牌壇３１Ｌの場合は「Ｌ」、位牌壇３１Ｒの場合は「Ｒ」）を示し、最後の「１〜７５」は位牌壇３１Ｒ，３１Ｌが備える最大７５（１５×５＝７５）個の位牌の載置スペースであることを示している。
【００４３】
具体的には、位牌壇３１Ｌには、位牌壇であることを示す「Ｉ」と、左扉３０Ｌの背面に設けられた位牌壇３１Ｌであることを示す「Ｌ」が割り付けられ、格子状に８行５列に区割りされた４０個の位牌の載置スペース毎に、当該位牌壇３１Ｌを正面視して、最上段の一行目の左端からに右方向に「１」、「２」…「５」の連番で番号が割り付けられている。２行目も同様に左端からに右方向に「６」、「７」…「１０」の連番で番号が割り付けられている。そして、以下同様に、最下段の８行目まで「３６」、「３７」…「４０」の連番で番号が割り付けられている。つまり、位牌壇３１Ｌの８行５列に区割りされた４０個の位牌の載置スペース毎に連番で「Ｉ−Ｌ−１」〜「Ｉ−Ｌ−４０」までの番号がナンバリングされている。
【００４４】
位牌壇３１Ｒには、位牌壇であることを示す「Ｉ」と、右扉３０Ｒの背面に設けられた位牌壇３１Ｒであることを示す「Ｒ」が割り付けられ、格子状に７行５列に区割りされた３５個のスペース毎に、当該位牌壇３１Ｒを正面視して、最上段の一行目の左端からに右方向に「４１」、「４２」…「４５」の連番で番号が割り付けられている。２行目も同様に左端からに右方向に「４６」、「４７」…「５０」の連番で番号が割り付けられている。そして、以下同様に、最下段の７行目まで「７１」、「７２」…「７５」の連番で番号が割り付けられている。つまり、位牌壇３１Ｒの７行５列に区割りされた３５個のスペース毎に連番で「Ｉ−Ｒ−４１」〜「Ｉ−Ｒ−７５」までの番号がナンバリングされている。つまり、位牌壇３１Ｒ，３１Ｌには、最大７５（１５×５＝７５）個の位牌を載置できるため、「Ｉ−Ｌ−１」〜「Ｉ−Ｒ−７５」での数字がナンバリングされている。
【００４５】
なお、図７に示す納骨室５３にナンバリングされた末尾の番号と、位牌壇３１Ｒ，３１Ｌにナンバリングされた末尾の番号とは一対一で対応している。すなわち、納骨室５３の「Ｋ−１−１」に収納された骨壷に対応する位牌は、位牌壇３１Ｒ，３１Ｌの「Ｉ−Ｌ−１」に載置されている。このように骨壷の収納スペースと位牌の載置スペースとの末尾の番号を一対一で対応させることで、納骨壇１に収納されている骨壷の収納位置と位牌の載置位置を容易に確認することができる。
【００４６】
また、図８に示すように、複数（５段）の納骨室５３と位牌壇３１Ｒ，３１Ｌとを対応付けたナンバリング表を作成している。このナンバリング表は、納骨室５３における骨壷の収納スペースのナンバリングと、位牌壇３１Ｒ，３１Ｌにおける位牌の載置スペースのナンバリングとが一対一で対応付けられた構成となっており、その他、収納された骨壷に係る情報等が一覧で確認可能に作成されている。
【００４７】
図８に示すように、ナンバリング表は、一行毎に左端から「カロートＮｏ．Ｈ１」、「位牌壇Ｎｏ．Ｈ２」、「氏名Ｈ３」、「住所Ｈ４」、「連絡先電話番号Ｈ５」、「入壇日Ｈ６」、「収骨日Ｈ７」等の順番で記載されている。
【００４８】
「カロートＮｏ．Ｈ１」は、納骨壇１に収納されている骨壷の納骨室５３のナンバリングである。「位牌壇Ｎｏ．Ｈ２」は、上記骨壷に対応した位牌壇３１Ｒ，３１Ｌのナンバリングである。「氏名Ｈ３」、「住所Ｈ４」及び「連絡先電話番号Ｈ５」は、納骨壇１に収納されている骨壷の例えば遺族の代表者の氏名、住所及び連絡先電話番号である。「入壇日Ｈ６」は、納骨壇１に収納されている骨壷の入壇の契約開始の年月日であり、「収骨日Ｈ７」は、納骨壇１に骨壷の収納を開始した年月日である。
【００４９】
このように、本実施形態の納骨壇１に収納された骨壷の係る情報の一覧表であるナンバリング表を作成することにより、納骨壇１に収納されている骨壷や位牌の収納位置を用意に把握できるだけではなく、納骨壇１に収納された骨壷の情報（例えば、当該納骨壇１に収納されている骨壷の実数や空きスペースの数など）を管理者が確認することで、当該納骨壇１の管理が容易となる。
【００５０】
また、図９に示すように、納骨室５３の骨壷の収納スペース毎にお名札プレート５５を設けることもできる。このお名札プレート５５は、収納部５０を構成する納骨室５３を引き出して平面視した場合に、収納された骨壷の収納スペース毎の前方の前板５６又は仕切板５４に設けられており、当該骨壷の遺族の代表者や故人の氏名等が記されている。これにより、納骨室５３に収納されている骨壷の管理がより容易となる。
【００５１】
また、上述した実施形態においては、骨壷と位牌は別々の場所に収納又は載置するようにしたが、例えば、納骨室５３の骨壷の収納スペースに骨壷と位牌を一対で収納（図示せず）することもできる。このような構成とすることで、例えば、本実施形態の納骨壇１を参拝する参拝者は、目的の骨壷の収納スペースから位牌を取り出し、仏壇４０に載置して参拝することができ、骨壷に対応した位牌を探す手間を省くことができる。
【００５２】
上述してきたように、本実施形態に係る納骨壇１によれば、当該納骨壇１が設置される納骨堂などにおいて、より省スペースでより多くの骨壷や位牌を収納でき、しかも、位牌の視認性に優れ、清掃などのメンテナンスが容易な納骨壇１を提供することができる。これにより、従来の合祀墓と同様の、合祀用の納骨壇１（位牌壇付合祀用納骨壇）として用いることもできる。
【００５３】
本考案は上述した実施形態に限定されるものではなく、本考案の要旨を逸脱しない範囲内で種々の改良、変形が可能であることはいうまでもない。
【符号の説明】
【００５４】
１  納骨壇
２０  本体部
２５  開口部
３０Ｒ，３０Ｌ  左右扉
３１Ｒ，３１Ｌ  位牌壇
３３  支持棒
４０  仏壇
５０  収納部
５３  納骨室
【図１】
0003174680.tif 000003
【図２】
0003174680.tif 000004
【図３】
0003174680.tif 000005
【図４】
0003174680.tif 000006
【図５Ａ】
0003174680.tif 000007
【図５Ｂ】
0003174680.tif 000008
【図５Ｃ】
0003174680.tif 000009
【図６】
0003174680.tif 000010
【図７】
0003174680.tif 000011
【図８】
0003174680.tif 000012
【図９】
0003174680.tif 000013
【図１０】
0003174680.tif 000014
【図１１】
0003174680.tif 000015
【図１２】
0003174680.tif 000016
【図１３】
0003174680.tif 000017
【図１４】
0003174680.tif 000018
【図１５】
0003174680.tif 000019